(57)【要約】  【課題】  簡易な構成による映像表示装置を備える受信システムを提供することを目的とする。  【解決手段】  受信装置３は、デジタル復調部１２から出力される圧縮されたデジタル信号からデジタル映像・音声信号に変換するデジタル回路部１３と、デジタル回路部１３から出力されるデジタル映像・音声信号をアナログの映像・音声信号に変換する映像音声出力回路１４とを備える。これによって映像表示装置４には、デジタル信号処理のための映像音声処理ＩＣを実装する必要がなく、簡易な構成の映像表示装置を用いて受信システムを実現することができる。  【選択図】      図１
2007060241.tif 000002
【特許請求の範囲】
【請求項１】
アンテナで受信した高周波信号を受信して映像、音声信号に変換する受信装置であって、
アンテナから受信された高周波信号を中間周波数信号に変換するチューナー回路部と、
前記チューナー回路部から出力される中間周波数信号を圧縮されたデジタル信号に変換するデジタル復調部と、
前記デジタル復調部から出力される圧縮されたデジタル信号からデジタル映像・音声信号に変換するデジタル回路部と、
前記デジタル回路部から出力されるデジタル映像・音声信号をアナログ映像・音声信号に変換する映像音声出力回路と、を備えており、
前記チューナ回路部が第１の基板上に配置され、
前記デジタル回路部と、前記デジタル復調部と、前記映像音声出力回路とが第２の基板上に配置され、
前記第１の基板と、前記第２の基板との間の信号パターンがジャンパー線で接続されていることを特徴とする受信装置。
【請求項２】
前記第１の基板および前記第２の基板は、シャーシ内に収められており、
前記第１の基板のアナログアースパターンと、前記第２の基板のデジタルアースパターンとが、該シャーシに電気的に接続されることを特徴とする請求項１に記載の受信装置。
【請求項３】
前記デジタル回路部が、
圧縮されたデジタル映像・音声信号を復調する映像音声処理ＩＣと、
圧縮されたデジタル映像・音声信号および復調したデジタル映像・音声信号を保存する映像音声処理用メモリと、を備え、
前記第２の基板において、前記映像音声処理用メモリを、前記第１の基板上に実装される前記チューナ回路部の位置と反対側の位置に配線し、前記映像音声処理ＩＣの裏面に配置することを特徴とする請求項１または請求項２に記載の受信装置。
【請求項４】
前記デジタル復調部が、ＩＦ信号をデジタル変換するための処理ＩＣであるデジタル復調ＩＣを備えており、
前記第２の基板において、
前記デジタル復調ＩＣと前記映像音声処理ＩＣとが、同じ実装面の離れた位置に配置されていることを特徴とする請求項３に記載の受信装置。
【請求項５】
前記第２の基板において、
前記デジタル復調ＩＣおよび前記映像音声処理ＩＣが、それぞれ熱伝導体を介してシャーシに接触される構成であることを特徴とする請求項４に記載の受信装置。
【請求項６】
前記第２の基板が多層基板であって、前記映像音声処理ＩＣと前記映像音声処理用メモリとの間の配線を内層パターン配置することを特徴とする請求項３〜請求項５のいずれかに記載の受信装置。
【請求項７】
前記第２の基板が多層基板であって、前記映像音声処理ＩＣと前記デジタル復調ＩＣとの間の配線を内層パターン配置することを特徴とする請求項４〜請求項６のいずれかに記載の受信装置。
【請求項８】
前記第２の基板において、
前記チューナ回路部、前記デジタル復調部、前記デジタル回路部、前記映像音声出力回路それぞれの入出力端子が該基板上の一辺に集中して配置されていることを特徴とする請求項１〜請求項７のいずれかに記載の受信装置。
【請求項９】
前記第２の基板において、
前記映像音声出力回路の出力端子およびアース端子が前記第１の基板と反対側の位置に配置されていることを特徴とする請求項８に記載の受信装置。
【請求項１０】
前記第２の基板において、
前記チューナ回路部において変換された中間周波数信号を出力するＩＦ出力端子が、前記第１の基板側に配置されていることを特徴とする請求項８または請求項９に記載の受信装置。
【請求項１１】
前記チューナ回路部、前記デジタル復調部、前記デジタル回路部、前記映像音声出力回路それぞれに電源を供給するための電源部を備えており、
前記第２の基板において、
前記電源部から前記チューナ回路部、前記デジタル復調部、前記デジタル回路部、前記映像音声出力回路に電源を供給するための電源端子それぞれが、前記映像音声出力回路の出力端子と、前記ＩＦ出力端子との間に配置されていることを特徴とする請求項１０に記載の受信装置。
【請求項１２】
前記第１の基板と、前記第２の基板とが、第１のシールド板により分離されていることを特徴とする請求項１〜請求項１１のいずれかに記載の受信装置。
【請求項１３】
前記第２の基板において、
前記デジタル復調部と前記デジタル回路部とが、第２のシールド板により分離されていることを特徴とする請求項１２に記載の受信装置。
【請求項１４】
デジタルおよびアナログ放送波を受信して、映像信号および音声信号に変換し、表示および出力する受信システムであって、
請求項１〜請求項１３のいずれかに記載の受信装置と、
前記受信装置から出力される映像信号に基づいて映像を表示し、あるいは音声信号に基づいて音声を出力する処理を行う映像表示装置と、を備える受信システム。
【発明の詳細な説明】
【技術分野】
【０００１】
本発明は、デジタルテレビジョン放送などの高周波信号を受信するための受信装置ならびに受信システムに関するものである。
【背景技術】
【０００２】
図３は従来例の受信システムの概略的構成を示すブロック図である。図３に示される受信システム９００は、高周波信号を受信するアンテナ９０１と、アンテナ９０１で受信された信号に所定の処理を施して所望の信号を取得するための受信装置９０２と、受信装置９０２で取得された信号に所定の処理を施して映像信号ならびに音声信号を取り出す映像表示装置９０３とで構成される。
【０００３】
受信装置９０２は、アンテナ９０１で受信された高周波信号を中間周波数信号に変換するチューナー回路部９１１と、チューナー回路部９１１から出力される中間周波数信号を圧縮されたデジタル信号に変換するデジタル復調部９１２と、チューナ回路部９１１およびデジタル復調部９１２に動作用電源を与える電源部９１３と、を備える。また、デジタル復調部９１２は、中間周波数信号をデジタル変換するための処理ＩＣであるデジタル復調ＩＣ９１４を備える。
【０００４】
映像表示装置９０３は、受信装置９０２から与えられる圧縮されたデジタル信号からデジタル映像・音声信号に変換するデジタル回路部９２１と、デジタル回路部９２１から出力されるデジタル映像・音声信号をアナログの映像・音声信号に変換する映像音声出力回路９２２と、映像音声出力回路９２２から出力されるアナログの映像信号に基づいて映像を表示する処理を行う表示処理部９２３と、映像音声出力回路９２２から出力されるアナログの音声信号に基づいて音声を出力する処理を行う音声処理部９２４と、デジタル回路部９２１、映像音声出力回路９２２、表示処理部９２３および音声処理部９２４に動作用電源を与える電源部９２５と、を備える。また、デジタル回路部９２１は、圧縮されたデジタル信号から映像信号および音声信号を抽出するための映像音声処理ＩＣ９２８と、映像音声処理を行う際に一時的に処理データを格納する映像音声処理メモリ９２６と、受信装置の制御コードを格納するプログラム用メモリ９２７とを備える。
【特許文献１】特開２０００−６８６７３号公報
【発明の開示】
【発明が解決しようとする課題】
【０００５】
このような従来構成の受信システム９００は、受信装置９０２を電磁的に遮蔽するためにシールドで覆う一方、映像表示装置９０３の基板上に映像音声処理ＩＣ９２８、映像音声処理メモリ９２６、プログラム用メモリ９２７、映像音声出力回路９２２、表示処理部９２３、音声処理部９２４を実装しており、部品および配線数が多くなるため映像表示装置９０３の基板を多層基板にする必要があった。
【０００６】
また、映像表示装置９０３の基板上に実装される、映像音声処理ＩＣ９２８、映像音声処理メモリ９２６、プログラム用メモリ９２７、映像音声出力回路９２２、表示処理部９２３、音声処理部９２４から発生する不要輻射やノイズ対策を映像表示装置９０３上で行う必要があり、これに伴ってシールドを追加する必要があった。
【０００７】
さらには、映像表示装置９０３の基板上に実装される、映像音声処理ＩＣ９２８、映像音声処理メモリ９２６、プログラム用メモリ９２７、映像音声出力回路９２２、表示処理部９２３、音声処理部９２４からの発熱対策として、基板の面積を大きくしたり放熱板を追加する必要があった。
【０００８】
上記の問題点に鑑み、本発明は、簡易な構成による映像表示装置を備える受信システムを提供することを目的とする。
【０００９】
上記目的を達成すべく、本発明の受信装置は、アンテナで受信した高周波信号を受信して映像、音声信号に変換する受信装置であって、アンテナから受信された高周波信号を中間周波数信号に変換するチューナー回路部と、前記チューナー回路部から出力される中間周波数信号を圧縮されたデジタル信号に変換するデジタル復調部と、前記デジタル復調部から出力される圧縮されたデジタル信号からデジタル映像・音声信号に変換するデジタル回路部と、前記デジタル回路部から出力されるデジタル映像・音声信号をアナログ映像・音声信号に変換する映像音声出力回路と、を備えており、前記チューナ回路部が第１の基板上に配置され、前記デジタル回路部と、前記デジタル復調部と、前記映像音声出力回路とが第２の基板上に配置され、前記第１の基板と、前記第２の基板との間の信号パターンがジャンパー線で接続されていることを特徴とする。
【００１０】
このように受信装置の基板上に、デジタル回路部と映像音声出力回路とを実装することで、受信装置から出力される映像信号を表示、あるいは音声信号を出力するための映像表示装置は、受信装置から入力される映像信号を表示する表示処理部と音声信号を音声出力する音声処理部を備えるのみでよく、多層基板にする必要がない。また、デジタル回路部および映像音声出力回路からの発熱対策を受信装置側で行えばよいため、映像表示装置の基板面積を広くする、あるいは放熱板を設置するなどの発熱対策を映像表示装置側で行う必要がない。
【００１１】
また、例えば、前記第１の基板および前記第２の基板は、シャーシ内に収められており、前記第１の基板のアナログアースパターンと、前記第２の基板のデジタルアースパターンとが、該シャーシに電気的に接続される構成としても構わない。
【００１２】
これにより、前記第１の基板と前記第２の基板とをジャンパー線で接続するために、両基板に備えられるコネクタをアース接続する必要がなくなるとともに、アナログアースとデジタルアースとの間のインピーダンスを小さく抑える効果がある。
【００１３】
また、前記デジタル回路部が、圧縮されたデジタル映像・音声信号を復調する映像音声処理ＩＣと、圧縮されたデジタル映像・音声信号および復調したデジタル映像・音声信号を保存する映像音声処理用メモリと、を備え、前記第２の基板において、前記映像音声処理用メモリを、前記第１の基板上に実装される前記チューナ回路部の位置と反対側の位置に配線し、前記映像音声処理ＩＣの裏面に配置する構成としても構わない。
【００１４】
これにより、従来構成では、デジタル回路部が映像表示装置に備えられていたため、映像音声処理ＩＣや映像音声処理メモリ、プログラム用メモリなどから発生する不要輻射やノイズ対策を映像表示装置で行う必要があったが、本発明の構成によれば、受信装置内にデジタル回路部を備えることで、デジタル回路部を備えない構成の映像表示装置を利用することができるため、これによって不要輻射やノイズ対策を映像表示装置側で行う必要がない。また、映像音声処理用メモリから発声するデジタルノイズを第１の基板上に配置されたチューナー回路部へ混入するのを防止して、チューナー回路部の性能劣化を防止する効果がある。
【００１５】
また、例えば、前記デジタル復調部が、ＩＦ信号をデジタル変換するための処理ＩＣであるデジタル復調ＩＣを備えており、前記第２の基板において、前記デジタル復調ＩＣと前記映像音声処理ＩＣとが、同じ実装面の離れた位置に配置されている構成としても構わない。
【００１６】
これにより、デジタル復調部が備えるデジタル復調ＩＣからの発熱と、デジタル回路部が備える映像音声処理ＩＣからの発熱とが分散される効果がある。
【００１７】
また、例えば、前記第２の基板において、前記デジタル復調ＩＣおよび前記映像音声処理ＩＣが、それぞれ熱伝導体を介してシャーシに接触される構成である構成としても構わない。
【００１８】
これにより、デジタル復調ＩＣからの発熱や映像音声処理ＩＣからの発熱が熱伝導体を通じてシャーシあるいは基板を覆うフタに放熱することができ、基板上の発熱を抑える効果がある。
【００１９】
また、例えば、前記第２の基板が多層基板であって、前記映像音声処理ＩＣと前記映像音声処理用メモリとの間の配線を内層パターン配置する構成としても構わない。
【００２０】
これにより、映像音声処理用メモリから発生する不要輻射を抑制する効果がある。
【００２１】
また、例えば、前記第２の基板が多層基板であって、前記映像音声処理ＩＣと前記デジタル復調ＩＣとの間の配線を内層パターン配置する構成としても構わない。
【００２２】
これにより、デジタル復調ＩＣから発生する不要輻射を抑制する効果がある。
【００２３】
また、例えば、前記第２の基板において、前記チューナ回路部、前記デジタル復調部、前記デジタル回路部、前記映像音声出力回路それぞれの入出力端子が該基板上の一辺に集中して配置される構成であるとしても構わない。
【００２４】
また、例えば、前記第２の基板において、前記映像音声出力回路の出力端子およびアース端子が前記第１の基板と反対側の位置に配置される構成であるとしても構わない。
【００２５】
これにより、第１の基板のチューナ回路部から発生する高周波ノイズが映像音声出力回路に混入するのを防止する効果がある。
【００２６】
また、例えば、前記第２の基板において、前記チューナ回路部において変換された中間周波数信号を出力するＩＦ出力端子が、前記第１の基板側に配置される構成としても構わない。
【００２７】
これにより、デジタル復調部あるいはデジタル回路部から発生するデジタルノイズが、チューナー回路部から出力される中間周波数信号に混入するのを防止する効果がある。
【００２８】
また、例えば、前記チューナ回路部、前記デジタル復調部、前記デジタル回路部、前記映像音声出力回路それぞれに電源を供給するための電源部を備えており、前記第２の基板において、前記電源部から前記チューナ回路部、前記デジタル復調部、前記デジタル回路部、前記映像音声出力回路に電源を供給するための電源端子それぞれが、前記映像音声出力回路の出力端子と、前記ＩＦ出力端子との間に配置される構成としても構わない。
【００２９】
また、例えば、前記第１の基板と、前記第２の基板とが、第１のシールド板により分離される構成であるとしても構わない。
【００３０】
これにより、第２の基板上のデジタル復調部やデジタル回路部から発生する電磁波が第１の基板上のチューナー回路部に混入するのを防止する効果がある。
【００３１】
また、前記第２の基板において、前記デジタル復調部と前記デジタル回路部とが、第２のシールド板により分離される構成であるとしても構わない。
【００３２】
これにより、デジタル回路部から発生する電磁波がデジタル復調部に混入するのを防止する効果がある。
【００３３】
また、本発明の受信システムは、デジタルおよびアナログ放送波を受信して、映像信号および音声信号に変換し、表示および出力する受信システムであって、上述の構成をした受信装置と、前記受信装置から出力される映像信号に基づいて映像を表示し、あるいは音声信号に基づいて音声を出力する処理を行う映像表示装置と、を備えることを特徴とする。
【発明の効果】
【００３４】
本発明の構成によれば、従来は映像表示装置に備えられていたデジタル回路部、映像音声出力回路を受信装置上に実装することで、映像表示装置を多層基板にすることなく、単層基板で実現することが可能となる。また、映像処理ＩＣについても映像表示装置上に実装しないため、このＩＣからの放熱対策を行う必要がなく、簡易な構成による映像表示装置によって受信システムを実現することが可能となる。
【発明を実施するための最良の形態】
【００３５】
本発明の受信システムの構成について、図面を参照して説明する。図１は、本発明の受信システムの概略的構成を示すブロック図である。
【００３６】
図１に示される受信システム１は、高周波信号を受信するアンテナ２と、アンテナ２で受信された信号に所定の処理を施して映像信号と音声信号を取得するための受信装置３と、受信装置３から与えられる映像信号に基づいて映像を表示し、あるいは音声信号に基づいて音声を出力する処理を行う映像表示装置４とで構成される。
【００３７】
受信装置３は、アンテナ２で受信された高周波信号を中間周波数信号（以下、「ＩＦ信号」と称する）に変換するチューナー回路部１１と、チューナー回路部１１から出力されるＩＦ信号を圧縮されたデジタル信号に変換するデジタル復調部１２と、デジタル復調部１２から出力される圧縮されたデジタル信号からデジタル映像・音声信号に変換するデジタル回路部１３と、デジタル回路部１３から出力されるデジタル映像・音声信号をアナログの映像・音声信号に変換する映像音声出力回路１４と、チューナ回路部１１、デジタル復調部１２、デジタル回路部１３、映像音声出力回路１４に動作用電源を与える電源部１５と、を備える。
【００３８】
なお、デジタル復調部１２は、ＩＦ信号をデジタル変換するための処理ＩＣであるデジタル復調ＩＣ２１を備える。また、デジタル回路部１３は、圧縮されたデジタル信号から映像信号および音声信号を抽出するための映像音声処理ＩＣ２４と、圧縮されたデジタルの映像信号、音声信号および復調したデジタルの映像信号、音声信号を保存する映像音声処理メモリ２２と、受信装置の制御コードを格納するプログラム用メモリ２３とを備える。
【００３９】
映像表示装置４は、受信装置３から与えられるアナログの映像信号に基づいて映像を表示する処理を行う表示処理部３１と、アナログの音声信号に基づいて音声を出力する処理を行う音声処理部３２と、表示処理部３１および音声処理部３２に動作用電源を与える電源部３３と、を備える。
【００４０】
図２は、図１における受信装置２の実装を示す模式図であり、図２（ａ）は、受信装置２を一方の面（表面）から見た状態を示しており、図２（ｂ）は受信装置２を他方の面（裏面）から見た状態を示している。
【００４１】
図２（ａ）に示すように、受信装置２は第１の基板５０と第２の基板６０による２基板で構成され、これらの基板の間には、第１のシールド板５１が挿入されることで電磁的に遮蔽されている。
【００４２】
第１の基板５０には、チューナ回路部１１が実装されている。また、この第１の基板５０は、シャーシに取り付けられており、このチューナ回路部１１のアナログアースパターンがシャーシに電気的に接続される。また、第１の基板５０には、チューナ入力端子５３が備えられ、アンテナ２で受信された高周波信号がこのチューナ入力端子５３よりチューナ回路部１１に入力される構成である。なお、このシャーシには、表面、裏面にそれぞれフタが取り付けられており、第１の基板５０および第２の基板６０が、シールドで覆われている。
【００４３】
また第１の基板５０は、チューナ入力端子５３が設置される辺と反対側の辺に第１のコネクタ５４を備える。一方、第２の基板６０は、第１の基板５０側の辺に第２のコネクタ５５を備えており、これら第１のコネクタ５４と第２のコネクタ５５とがジャンパ６２によって電気的に接続される。
【００４４】
一方、第２の基板６０には、デジタル復調部１２と、デジタル回路部１３と、映像音声出力回路１４と、電源部１５とが実装されている。上述のように、この第２の基板６０は、第１の基板５０との間に設けられた第１のシールド板５１によって電磁的に遮蔽されている。
【００４５】
また、第２の基板６０は、基板の一辺に第３のコネクタ５６を備えており、この第３のコネクタ５６において、チューナ回路部１１の入出力端子の他、第２の基板に実装されているデジタル復調部１２、デジタル回路部１３、映像音声出力回路１４、電源部１５に関わる入出力端子がそれぞれ配線されている。また、第３のコネクタ５６の端子のうち、第１の基板５０寄りの端子にはチューナ回路１１のＩＦ出力端子が配置されており、このＩＦ出力端子からＩＦ信号が出力される。一方、第３のコネクタ５６のうち、第１の基板５０から離れた位置の端子には映像音声出力回路１４の出力端子およびそのアース端子が配置されている。
【００４６】
また、デジタル復調部１２とデジタル回路部１３とは第２のシールド板５２によって電磁的に遮蔽されている。一方で、第２の基板６０に多層基板を採用するとともに、デジタル復調部１２に備えられるデジタル復調ＩＣ２１と、デジタル回路部１３に備えられる映像音声処理ＩＣ２４とを電気的に接続する配線が内層パターン配置されている。これらの両ＩＣは、第２の基板６０の同一面の離れた位置にそれぞれ実装される。また、デジタル復調ＩＣ２１および映像音声処理ＩＣ２４は、それぞれのＩＣパッケージが熱伝導体を介してシャーシと接触している。
【００４７】
デジタル回路部１３は、一方の面（表面）に映像音声処理ＩＣ２４が実装され、他方の面（裏面）に映像音声処理用メモリ２２およびプログラム用メモリ２３が実装される構成である。そして、映像音声処理ＩＣ２４と、映像処理用メモリ２２およびプログラム用メモリ２３との間を電気的に接続する配線が内層パターン配置されている。
【００４８】
そして、チューナ回路部１１、デジタル復調部１２、デジタル回路部１３、映像音声出力回路１４それぞれの電源端子が、第３のコネクタ５６内の、映像音声出力回路１４の出力端子とチューナ回路部１１のＩＦ出力端子との間に配置されている。
【００４９】
このように構成されるとき、受信装置３の基板上に、デジタル回路部１３と映像音声出力回路１４とを実装することで、映像表示装置４は、受信装置３から入力される映像信号を表示する表示処理部３１と音声信号を音声出力する音声処理部３２を備えるのみでよく、多層基板にする必要がない。また従来構成では、デジタル回路部が映像表示装置に備えられていたため、映像音声処理ＩＣや映像音声処理メモリ、プログラム用メモリなどから発生する不要輻射やノイズ対策を映像表示装置で行う必要があったが、本発明の構成によれば、受信装置内にデジタル回路部を備えることで、デジタル回路部を備えない構成の映像表示装置を利用することができるため、これによって不要輻射やノイズ対策を映像表示装置側で行う必要がない。
【００５０】
また、受信装置３の基板上に実装されるデジタル復調ＩＣ２１および映像音声処理ＩＣ２４は、それぞれ熱伝導体を介してシャーシに接続させることで、ＩＣパッケージの発熱対策を行う一方、映像表示装置内にはＩＣパッケージを備える必要がないため、基板の面積を広げる、あるいは放熱板を追加するなどの発熱対策を映像表示装置側で行う必要がない。
【００５１】
また、本発明の構成によれば、受信装置内で、アナログ回路で構成される第１の基板と、デジタル回路で構成される第２の基板とを分離されており、これによってデジタル復調部やデジタル回路部から発生されるデジタルノイズがチューナ回路部に混入するのを防止し、チューナ回路部の性能が劣化しない効果がある。
【００５２】
また、アナログアースパターンとデジタルアースパターンを、それぞれシャーシに電気的に接続する構成とすることで、第１の基板に備えられる第１のコネクタと、第２の基板に備えられる第２のコネクタとにアース接続を行う必要がなく、また、アナログアース間とデジタルアース間のインピーダンスを抑制する効果がある。
【００５３】
また、第３のコネクタが第２の基板の一辺に実装され、このコネクタによって、チューナ回路部１１の入出力端子の他、第２の基板に実装されているデジタル復調部１２、デジタル回路部１３、映像音声出力回路１４、電源部１５に関わる入出力端子がそれぞれ配線されることで、映像表示装置側の配線設計が容易になる。
【００５４】
そして、第３のコネクタ５０の端子のうち、第１の基板寄りの端子にはチューナ回路部１１のＩＦ出力端子が配置されており、このＩＦ出力端子からＩＦ信号が出力される。一方、第３のコネクタ５６のうち、第１の基板５０から離れた位置の端子には映像音声出力回路１４の出力端子およびそのアース端子が配置されている。このようにチューナ回路部の出力端子と映像音声出力回路の出力端子とを離して実装することで、チューナ回路部から発生する高周波ノイズが映像音声出力回路に混入するのを抑制する効果がある。また、逆に第２の基板上に実装されるデジタル復調部およびデジタル回路部から発生するデジタルノイズがチューナ回路部から出力されるＩＦ信号に混入するのを抑制する効果がある。
【００５５】
また、第１の基板と第２の基板とをシールド板で分離する構成とすることで、第２の基板に実装されるデジタル復調部およびデジタル回路部から発生する電磁波が、第１の基板側のチューナ回路部に混入するのを抑制する効果がある。
【００５６】
さらに、第２の基板において、デジタル復調部とデジタル回路部とをシールド板で分離する構成とすることで、デジタル回路部から発生する電磁波がデジタル復調部に混入するのを抑制する効果がある。
【００５７】
また、第２の基板において、デジタル復調部のデジタル復調ＩＣと、デジタル回路部の映像音声処理ＩＣを同じ実装面の離れた位置に配置することで、デジタル復調ＩＣの発熱と映像音声処理ＩＣの発熱とを分散する効果がある。さらに、これらの各ＩＣパッケージを、熱伝導体を介してシャーシと接触させることで、シャーシやフタに放熱することができ、これによって発熱を抑制する効果がある。
【産業上の利用可能性】
【００５８】
本発明の受信システムは、デジタルテレビジョン放送などを受信して受信映像を表示する受信システムに対して好適に利用され得る。
【図面の簡単な説明】
【００５９】
【図１】は、本発明の受信システムの概略的構成を示すブロック図である。
【図２】は、図１における受信装置２の実装を示す模式図であり
【図３】は、従来構成の受信システムの概略的構成を示すブロック図である。
【符号の説明】
【００６０】
１    受信システム
２    アンテナ
３    受信装置
４    映像表示装置
１１    チューナ回路部
１２    デジタル復調部
１３    デジタル回路部
１４    映像音声出力回路
２１    デジタル復調ＩＣ
２２    映像音声処理メモリ
２３    プログラム用メモリ
２４    映像音声処理ＩＣ
３１    表示処理部
３２    音声処理部
３３    電源部
５０    第１の基板
５１    第１のシールド板
５２    第２のシールド板
５３    チューナ入力端子
５４    第１のコネクタ
５５    第２のコネクタ
５６    第３のコネクタ
６０    第２の基板
６２    ジャンパ
９００    受信システム
９０１    アンテナ
９０２    受信装置
９０３    映像表示装置
９１１    チューナ回路部
９１２    デジタル復調部
９１４    デジタル復調ＩＣ
９２１    デジタル回路部
９２２    映像音声出力回路
９２３    音声処理部
９２４    表示処理部
９２５    電源部
９２６    映像音声処理メモリ
９２７    プログラム用メモリ
９２８    映像音声処理ＩＣ
【図１】
2007060241.tif 000003
【図２】
2007060241.tif 000004
【図３】
2007060241.tif 000005
【手続補正書】
【提出日】平成18年1月19日(2006.1.19)
【手続補正１】
【補正対象書類名】特許請求の範囲
【補正対象項目名】全文
【補正方法】変更
【補正の内容】
【特許請求の範囲】
【請求項１】
アンテナで受信した高周波信号を受信して映像、音声信号に変換する受信装置であって、
アンテナから受信された高周波信号を中間周波数信号に変換するチューナ回路部と、
前記チューナ回路部から出力される中間周波数信号を圧縮されたデジタル信号に変換するデジタル復調部と、
前記デジタル復調部から出力される圧縮されたデジタル信号からデジタル映像・音声信号に変換するデジタル回路部と、
前記デジタル回路部から出力されるデジタル映像・音声信号をアナログ映像・音声信号に変換する映像音声出力回路と、
を備えることを特徴とする受信装置。
【請求項２】
前記チューナ回路部が第１の基板上に配置され、
前記デジタル回路部と、前記デジタル復調部と、前記映像音声出力回路とが第２の基板上に配置され、
前記第１の基板と前記第２の基板との間を接続して、信号パターンの伝達を行う接続部を備えることを特徴とする請求項１に記載の受信装置。
【請求項３】
前記接続部がジャンパー線で構成されることを特徴とする請求項２に記載の受信装置。
【請求項４】
前記第１の基板および前記第２の基板は、シャーシ内に収められており、
前記第１の基板のアナログアースパターンと、前記第２の基板のデジタルアースパターンとが、該シャーシに電気的に接続されることを特徴とする請求項２又は請求項３に記載の受信装置。
【請求項５】
前記デジタル回路部が、
圧縮されたデジタル映像・音声信号を復調する映像音声処理ＩＣと、
圧縮されたデジタル映像・音声信号および復調したデジタル映像・音声信号を保存する映像音声処理用メモリと、を備え、
前記第２の基板において、前記映像音声処理用メモリを、前記第１の基板上に実装される前記チューナ回路部の位置と反対側の位置に配線し、前記映像音声処理ＩＣの裏面に配置することを特徴とする請求項２〜請求項４のいずれかに記載の受信装置。
【請求項６】
前記デジタル復調部が、ＩＦ信号をデジタル変換するための処理ＩＣであるデジタル復調ＩＣを備えており、
前記第２の基板において、
前記デジタル復調ＩＣと前記映像音声処理ＩＣとが、同じ実装面の離れた位置に配置されていることを特徴とする請求項５に記載の受信装置。
【請求項７】
前記第２の基板において、
前記デジタル復調ＩＣおよび前記映像音声処理ＩＣが、それぞれ熱伝導体を介してシャーシに接触される構成であることを特徴とする請求項６に記載の受信装置。
【請求項８】
前記第２の基板が多層基板であって、前記映像音声処理ＩＣと前記映像音声処理用メモリとの間の配線を内層パターン配置することを特徴とする請求項５〜請求項７のいずれかに記載の受信装置。
【請求項９】
前記第２の基板が多層基板であって、前記映像音声処理ＩＣと前記デジタル復調ＩＣとの間の配線を内層パターン配置することを特徴とする請求項６〜請求項８のいずれかに記載の受信装置。
【請求項１０】
前記第２の基板において、
前記チューナ回路部、前記デジタル復調部、前記デジタル回路部、前記映像音声出力回路それぞれの入出力端子が該基板上の一辺に集中して配置されていることを特徴とする請求項２〜請求項９のいずれかに記載の受信装置。
【請求項１１】
前記第２の基板において、
前記映像音声出力回路の出力端子およびアース端子が前記第１の基板と反対側の位置に配置されていることを特徴とする請求項１０に記載の受信装置。
【請求項１２】
前記第２の基板において、
前記チューナ回路部において変換された中間周波数信号を出力するＩＦ出力端子が、前記第１の基板側に配置されていることを特徴とする請求項１０又は請求項１１に記載の受信装置。
【請求項１３】
前記チューナ回路部、前記デジタル復調部、前記デジタル回路部、前記映像音声出力回路それぞれに電源を供給するための電源部を備えており、
前記第２の基板において、
前記電源部から前記チューナ回路部、前記デジタル復調部、前記デジタル回路部、前記映像音声出力回路に電源を供給するための電源端子それぞれが、前記映像音声出力回路の出力端子と、前記ＩＦ出力端子との間に配置されていることを特徴とする請求項１２に記載の受信装置。
【請求項１４】
前記第１の基板と、前記第２の基板とが、第１のシールド板により分離されていることを特徴とする請求項２〜請求項１３のいずれかに記載の受信装置。
【請求項１５】
前記第２の基板において、
前記デジタル復調部と前記デジタル回路部とが、第２のシールド板により分離されていることを特徴とする請求項１４に記載の受信装置。
【請求項１６】
デジタルおよびアナログ放送波を受信して、映像信号および音声信号に変換し、表示および出力する受信システムであって、
請求項１〜請求項１５のいずれかに記載の受信装置と、
前記受信装置から出力される映像信号に基づいて映像を表示し、あるいは音声信号に基づいて音声を出力する処理を行う映像表示装置と、を備える受信システム。
【手続補正２】
【補正対象書類名】明細書
【補正対象項目名】０００３
【補正方法】変更
【補正の内容】
【０００３】
受信装置９０２は、アンテナ９０１で受信された高周波信号を中間周波数信号に変換するチューナ回路部９１１と、チューナ回路部９１１から出力される中間周波数信号を圧縮されたデジタル信号に変換するデジタル復調部９１２と、チューナ回路部９１１およびデジタル復調部９１２に動作用電源を与える電源部９１３と、を備える。また、デジタル復調部９１２は、中間周波数信号をデジタル変換するための処理ＩＣであるデジタル復調ＩＣ９１４を備える。
【手続補正３】
【補正対象書類名】明細書
【補正対象項目名】０００９
【補正方法】変更
【補正の内容】
【０００９】
上記目的を達成すべく、本発明の受信装置は、アンテナで受信した高周波信号を受信して映像、音声信号に変換する受信装置であって、アンテナから受信された高周波信号を中間周波数信号に変換するチューナ回路部と、前記チューナ回路部から出力される中間周波数信号を圧縮されたデジタル信号に変換するデジタル復調部と、前記デジタル復調部から出力される圧縮されたデジタル信号からデジタル映像・音声信号に変換するデジタル回路部と、前記デジタル回路部から出力されるデジタル映像・音声信号をアナログ映像・音声信号に変換する映像音声出力回路と、を備えることを特徴とする。
【手続補正４】
【補正対象書類名】明細書
【補正対象項目名】００１０
【補正方法】変更
【補正の内容】
【００１０】
又、前記チューナ回路部が第１の基板上に配置され、前記デジタル回路部と、前記デジタル復調部と、前記映像音声出力回路とが第２の基板上に配置されるものとしても構わない。そして、前記第１の基板と、前記第２の基板との間の信号パターン接続する接続部を備え、更に、この接続部がジャンパー線で構成されるものとしても構わない。
このように受信装置の基板上に、デジタル回路部と映像音声出力回路とを実装することで、受信装置から出力される映像信号を表示、あるいは音声信号を出力するための映像表示装置は、受信装置から入力される映像信号を表示する表示処理部と音声信号を音声出力する音声処理部を備えるのみでよく、多層基板にする必要がない。また、デジタル回路部および映像音声出力回路からの発熱対策を受信装置側で行えばよいため、映像表示装置の基板面積を広くする、あるいは放熱板を設置するなどの発熱対策を映像表示装置側で行う必要がない。
【手続補正５】
【補正対象書類名】明細書
【補正対象項目名】００１４
【補正方法】変更
【補正の内容】
【００１４】
これにより、従来構成では、デジタル回路部が映像表示装置に備えられていたため、映像音声処理ＩＣや映像音声処理メモリ、プログラム用メモリなどから発生する不要輻射やノイズ対策を映像表示装置で行う必要があったが、本発明の構成によれば、受信装置内にデジタル回路部を備えることで、デジタル回路部を備えない構成の映像表示装置を利用することができるため、これによって不要輻射やノイズ対策を映像表示装置側で行う必要がない。また、映像音声処理用メモリから発声するデジタルノイズを第１の基板上に配置されたチューナ回路部へ混入するのを防止して、チューナ回路部の性能劣化を防止する効果がある。
【手続補正６】
【補正対象書類名】明細書
【補正対象項目名】００２７
【補正方法】変更
【補正の内容】
【００２７】
これにより、デジタル復調部あるいはデジタル回路部から発生するデジタルノイズが、チューナ回路部から出力される中間周波数信号に混入するのを防止する効果がある。
【手続補正７】
【補正対象書類名】明細書
【補正対象項目名】００３０
【補正方法】変更
【補正の内容】
【００３０】
これにより、第２の基板上のデジタル復調部やデジタル回路部から発生する電磁波が第１の基板上のチューナ回路部に混入するのを防止する効果がある。
【手続補正８】
【補正対象書類名】明細書
【補正対象項目名】００３７
【補正方法】変更
【補正の内容】
【００３７】
受信装置３は、アンテナ２で受信された高周波信号を中間周波数信号（以下、「ＩＦ信号」と称する）に変換するチューナ回路部１１と、チューナ回路部１１から出力されるＩＦ信号を圧縮されたデジタル信号に変換するデジタル復調部１２と、デジタル復調部１２から出力される圧縮されたデジタル信号からデジタル映像・音声信号に変換するデジタル回路部１３と、デジタル回路部１３から出力されるデジタル映像・音声信号をアナログの映像・音声信号に変換する映像音声出力回路１４と、チューナ回路部１１、デジタル復調部１２、デジタル回路部１３、映像音声出力回路１４に動作用電源を与える電源部１５と、を備える。